(57)【特許請求の範囲】
【請求項１】
刃体を有するかみそり刃組立体と、
前記かみそり刃組立体に設けられた軸受手段を支持し、該かみそり刃組立体の長手方向に延びて前記軸受手段を通る第１軸線の周りで該かみそり刃組立体を回動自在に支持する支持体であって、前記刃体の刃先を下方へ回動するように前記軸受手段をプッシャーを介して付勢する第１付勢手段を備えた支持体と、
前記支持体を前記第１軸線と平行な第２軸線の周りでのみ回動自在に支持するホルダと、
前記支持体を前記第２軸線の周りで回動付勢する第２付勢手段を備えることを特徴とするＴ型安全かみそり。
【請求項２】
前記かみそり刃組立体は少なくとも一つの刃体を備え、
前記ホルダを下方に、前記かみそり刃組立体を上にし、かつ前記かみそり刃組立体の前記刃体の刃先を下に向けたとき、前記第１軸線が該かみそり刃組立体が有する前記刃体と重なる位置、或いは、下方に位置し、
前記支持体の前記ホルダに対する回動自在に支持する回動支点が、前記かみそり刃組立体を上にホルダを下にしたとき、前記刃体よりも下方に位置することを特徴とする請求項１に記載のＴ型安全かみそり。
【請求項３】
第１付勢手段の付勢力が第２付勢手段の付勢力よりも弱いことを特徴とする請求項１又は請求項２に記載のＴ型安全かみそり。
【請求項４】
第２付勢手段の付勢力が第１付勢手段の付勢力よりも弱いことを特徴とする請求項１又は請求項２に記載のＴ型安全かみそり。
【請求項５】
第１付勢手段の付勢力と第２付勢手段の付勢力と同じにしたことを特徴とする請求項１又は請求項２に記載のＴ型安全かみそり。
【発明の詳細な説明】
【技術分野】
【０００１】
本発明は、Ｔ型安全かみそりに関し、詳しくは、刃先が輪郭（凹凸）のある皮膚に沿って首振りをするＴ型安全かみそりに関する。
【背景技術】
【０００２】
Ｔ型安全かみそりは、最適な毛剃りが可能となるように刃体の刃先がハンドルの長手方向に対して一定の傾斜姿勢になるように取付けられている。しかし、顔やボディの特に大きな輪郭（例えばアゴやワキに）に沿って毛剃りを行う場合、使用者は輪郭に対する刃先の最適の姿勢を維持するために刃先の前記輪郭に対する傾斜を手際よくコントロールさせる必要に迫られる。
【０００３】
上記のように輪郭に対する刃先の姿勢を維持するためのコントロールは、刃先がハンドルの長手方向に対して固定されたＴ型安全かみそりでは、使用者はＴ型安全かみそりを持つ状態を大きく変化させて行う必要がある。この場合、毛剃りに慣れたものであれば、適切に行うことが可能である。しかし、毛剃りに慣れない使用者の場合は、前記コントロールすること自体がむずかしい。
【０００４】
そこで、従来から、ハンドルの上部に対して、該かみそり刃組立体の下面側に、ハンドルの軸線とは直交する方向に枢動のための軸線を備えたジャーナル軸受装置が設けられ、該ジャーナル軸受装置を含む首振り機構により、かみそり刃組立体を傾動自在に指示したものが提案されている（特許文献１乃至特許文献６、以下、従来技術１という）。
【０００５】
例えば、従来技術の代表的な特許文献１のＴ型安全かみそりでは、前記ジャーナル軸受装置と、ハンドルの上部に設けられたカム従節装置から強制偏向力を受けるためのカム部材を備える。この提案された従来技術は、かみそり刃組立体が肌の輪郭上を枢動しながら、最適な姿勢を維持することを可能とし、毛剃り効率の向上が図られている。
【０００６】
又、特許文献７、８のＴ型安全かみそりでは、ハンドルの上部に弾性的に変形するロッド又はたわみ材が連結され、かみそりヘッドをハンドルに対してロッド又はたわみ材を介して支持する構成を採用している。この構成によって、かみそりヘッドが前記ロッド又はたわみ材を介して輪郭に追従できるようにされている（以下、従来技術２という）。
【０００７】
特許文献９では、安全かみそりブレードユニットが、ブーレード組立体を組み付けられた上側フレームと、サブフレームと、ベースフレームが断面Ｚ状に組付けられて、各フレーム間がヒンジを介して連結され、各フレーム間には、複数のバネウエブを介在させた構成を備える（以下、従来技術３という）。この構成によって、同様に安全かみそりブレードユニットが、輪郭に追従できるようにされている。
【０００８】
なお、特許文献１０及び特許文献１１は、本出願時の技術水準を示す参考の公報である。
【先行技術文献】
【特許文献】
【０００９】
【特許文献１】特公昭５７−１２６４０号公報
【特許文献２】特開昭５５−９９２８９号公報
【特許文献３】実開昭５７−４５８６４号公報
【特許文献４】実開昭５７−５５４７０号公報
【特許文献５】実開昭５７−５８３６４号公報
【特許文献６】特許第３８７５２０７号
【特許文献７】実開昭５５−１４３１７７号公報
【特許文献８】特開平３−１７３５９５号公報
【特許文献９】特許第４１８４０７６号
【特許文献１０】特開２０００−３００８７１号公報
【特許文献１１】特開平２−５２６９４号公報
【発明の概要】
【発明が解決しようとする課題】
【００１０】
ところで、従来技術１の首振り機構では、かみそり刃組立体のカム部材は、ハンドルのカム従節装置の端に連結された圧縮ばねによって発生する強制偏向力に応答してハンドルのカム従節部材と係合するようになっている。そして、かみそり刃組立体は輪郭に沿って動かされるに従って枢動する。このとき、前記カム従節部材は、移動せしめられて圧縮ばねを圧縮し、圧縮バネの負荷を増大させる。この圧縮バネの負荷の増大は、かみそり刃組立体の皮膚に押し返す力が増すことを意味する。これは、刃体の刃先が皮膚を押圧した状態で毛剃りが継続されることから、切り傷や肌荒れの原因となる。
【００１１】
これらの課題は、従来技術２においても、同様に生ずる。すなわち、特許文献７，８では、かみそりヘッドが輪郭に沿って動かされるに従って移動し、傾動量が増せばロッド又はたわみ材の弾性力が蓄積されるため、同様に刃体の刃先が皮膚を押圧した状態で毛剃りが継続されることから、切り傷や肌荒れの原因となる。
【００１２】
又、従来技術３においては、安全かみそりブレードユニットは上側フレームと、サブフレームと、ベースフレームの各フレーム間に設けられた複数のバネウエブを備えている。このことから、安全かみそりブレードユニットが輪郭に沿って動かされるに従って前記バネウエブが弾性力を蓄積して変形し、同様に刃体の刃先が皮膚を押圧した状態で毛剃りが継続されることから、切り傷や肌荒れの原因となる。
【００１３】
又、上記の課題とは別に、上記のように挙げられた従来技術１〜３では、下記で説明するコントロールのしにくい課題がある。
まず、従来技術１において、首振り機構による刃体の刃先の移動範囲を図１２（ａ）に示す。図１２（ａ）では、ジャーナル軸受装置の旋回軸から、刃先縁（例えば、複数刃を有する場合は、最初に肌に接触する第１刃体の刃先縁）と旋回軸Ｃとの距離は、一般的なかみそり刃組立体の大きさを想定した場合、数ｍｍの範囲内であるため、３ｍｍ程度のものを想定した原理図で描いている。すなわち、この図では、前記３ｍｍの半径で刃先縁が動くことを前提として１０倍して描いたものである。
【００１４】
この図では旋回軸Ｃの周りで、かみそり刃組立体が回転（揺動）した場合、先端の円弧Ｅ１で図示された部分が前記刃先縁の移動範囲（移動軌跡）である。このように刃先縁は、限られた円弧Ｅ１（曲線）の移動範囲内でしか移動ができない。このため、この円弧Ｅ１（曲線）の限られた範囲の中に刃先縁が位置するように、輪郭に対する刃先の姿勢を維持するため、輪郭の凹凸が大きな場合や、毛剃りの範囲が例えば、足のすね、手の腕の毛剃りを行うときのように長い距離に亘って毛剃りを行う場合、すなわち、毛剃り範囲が長くなる場合、輪郭に対する刃先の最適の姿勢を維持するためにハンドルを把持する手のコントロールは、より難しくなる。具体的には、輪郭に対する刃先の最適の姿勢を維持するために、ハンドルを持つ手を、毛剃り対象の手、又は足等の長さ方向に大きく動かす必要がある。
【００１５】
又、従来技術２における刃体の刃先の移動範囲を、図１２（ｂ）に示す。図１２（ｂ）では、ロッド又はたわみ材の基端Ｋから刃先縁（例えば、複数刃を有する場合は、最初に肌に接触する第１刃体の刃先縁）との距離は、一般的なＴ型安全かみそりの大きさから想定すると、１ｃｍ〜数ｃｍであると予想できるため、２ｃｍ程度のものを想定した原理図で描いている。この図では、前記２ｃｍの半径で刃先縁が動くことを前提として２．５倍して描いたものである。
【００１６】
この図では、ロッド又はたわみ材の基端Ｋから刃先縁が移動した場合、先端の円弧Ｅ２で図示された部分が前記刃先縁の移動範囲（移動軌跡）である。このように刃先縁は、円弧Ｅ２（曲線）の移動範囲内でしか移動ができない。このため、従来技術２においても従来技術２と同様にこの円弧Ｅ２の限られた範囲の中に刃先縁が位置するように、輪郭に対する刃先の姿勢を維持するため、ハンドルを持つ手を毛剃り対象の手又は足等の長さ方向に大きく動かす必要があるとともに、輪郭の細かい凹凸に対してはかみそりヘッドが追従することができない問題がある。
【００１７】
さらに、従来技術３では、安全かみそりブレードユニットにおける刃体の刃先の移動範囲を図１２（ｃ）に示す。安全かみそりブレードユニットを、一般的な大きさで想定した場合、各ブレードの刃先を前とすると、前後方向の長さは数ｍｍ〜１０ｍｍ前後であると想定できる。図１２（ｃ）では、安全かみそりブレードユニットを構成するフレーム（上側フレームＦ１、サブフレームＦ２、ベースフレームＦ３）の前後方向長さを８ｍｍとし、３．７５倍で図示している。
【００１８】
そして、上フレームに配置される第１刃体（例えば、複数刃を有する場合は、最初に肌に接触するブレード）の刃先縁と、上側フレームＦ１とサブフレームＦ２間のヒンジａまでの距離を、ここでは説明の便宜上、同じ長さにしたものを想定した原理図で描いている。なお、ｂは、べースフレームとサブフレーム間のヒンジである。
【００１９】
この図では、第１刃体が移動する場合、先端側の円弧状部分ｄと、後側の円弧状部分ｇで囲まれた範囲が前記刃先縁の移動範囲（移動領域）である。このように刃先縁は、限られた２つの円弧状（曲線）で囲まれた範囲内でしか移動ができず、しかも、この領域は、数ｍｍの半径で、描かれる極めて狭い範囲である。
【００２０】
このため、この限られた範囲の中に刃先縁が位置するように、輪郭に対する刃先の姿勢を維持するため、輪郭の凹凸が大きな場合や、毛剃りの範囲が例えば、足のすね、手の腕の毛剃りを行うときのように長い距離に亘って毛剃りを行う場合、従来例１と同様に、毛剃り範囲が長くなる場合、輪郭に対する刃先の最適の姿勢を維持するためにハンドルを把持する手のコントロールは、より難しくなる。具体的には、輪郭に対する刃先の最適の姿勢を維持するために、ハンドルを持つ手を、毛剃り対象の手、又は足等の長さ方向に大きく動かす必要がある。
【００２１】
本発明の目的は、かみそり刃組立体の首振り量を増加させることができ、アゴやワキのような輪郭の大きな部位、或いは足、手の毛剃りを行うように長い輪郭域でのかみそり刃組立体の追従を容易に行うことができるとともに、コントロールがしやすく、毛剃りの効率化を図ることができるＴ型安全かみそりを提供することにある。
【課題を解決するための手段】
【００２２】
上記問題を解決するために請求項１に記載の発明は、刃体を有するかみそり刃組立体と、前記かみそり刃組立体に設けられた軸受手段を支持し、該かみそり刃組立体の長手方向に延びて前記軸受手段を通る第１軸線の周りで該かみそり刃組立体を回動自在に支持する支持体であって、前記刃体の刃先を下方へ回動するように前記軸受手段をプッシャーを介して付勢する第１付勢手段を備えた支持体と、前記支持体を前記第１軸線と平行な第２軸線の周りでのみ回動自在に支持するホルダと、前記支持体を前記第２軸線の周りで回動付勢する第２付勢手段を備えることを特徴とするＴ型安全かみそりを要旨とするものである。
【００２３】
請求項２の発明は、請求項１において、前記かみそり刃組立体は少なくとも一つの刃体を備え、前記ホルダを下方に、前記かみそり刃組立体を上にし、かつ前記かみそり刃組立体の前記刃体の刃先を下に向けたとき、前記第１軸線が該かみそり刃組立体が有する前記刃体と重なる位置、或いは、下方に位置し、前記支持体の前記ホルダに対する回動自在に支持する回動支点が、前記かみそり刃組立体を上にホルダを下にしたとき、前記刃体よりも下方に位置することを特徴とする。
【００２４】
請求項３の発明は、請求項１又は請求項２において、第１付勢手段の付勢力が第２付勢手段の付勢力よりも弱いことを特徴とする。
請求項４の発明は、請求項１又は請求項２において、第２付勢手段の付勢力が第１付勢手段の付勢力よりも弱いことを特徴とする。
【００２５】
請求項５の発明は、請求項１又は請求項２において、第１付勢手段の付勢力と第２付勢手段の付勢力と同じにしたことを特徴とする。
【発明の効果】
【００２６】
請求項１乃至請求項５の発明によれば、毛剃り時に、かみそり刃組立体が支持体に対して首振りされ、さらに、支持体がホルダに対して回動自在にされているため、かみそり刃組立体の首振り量を増加させることができる。又、アゴやワキのような輪郭の大きな部位、或いは足、手の毛剃りを行うように長い輪郭域でのかみそり刃組立体の追従を容易に行うことができるとともに、コントロールがしやすく、毛剃りの効率化を図ることができる。
【００２７】
又、請求項２の発明によれば、第１軸線が、かみそり刃組立体が有する前記刃体と重なる位置、或いは、下方に位置し、かつ、回動支点が、前記かみそり刃組立体を上にホルダを下にしたとき、前記刃体よりも下方に位置するため、刃先が安定してスムースな毛剃りが可能となる。
【００２８】
すなわち、前記支持体の第１軸線が通る軸受手段は、支持体を介してかみそり刃組立体を保持する部分でもある。仮に、前記軸受手段が刃体の後方（刃先の幅方向の刃先に対向する方向）に位置する場合、刃体の刃先は毛の切断抵抗と刃先の後方からの押圧により刃が不安定な状態（積雪における後輪駆動車が駆動するのと同様にビビリなどが発生しやすい）となる。又、第２軸線の回動支点が刃先より後方に位置する場合も同様の問題がある。一方、首振りの回動支点が、刃先の前方（下方）になる場合は前述の逆であり、回動支点が、前記かみそり刃組立体を上にホルダを下にしたとき、前記刃体よりも下方に位置するため、刃先が安定してスムースな毛剃りが可能となり、回動支点が刃先下方に位置する方が刃先が安定してスムースな毛剃りが可能となる。
【００２９】
請求項３の発明によれば、刃先に近い支持体の第１付勢手段が、第２付勢手段よりも、付勢力が弱いため、支持体に対するかみそり刃組立体の首振り（以下、第１首振りという）の方が、支持体のホルダに対する首振り（以下、第２首振りという）よりもしやすい。このため、毛剃り時に、かみそり刃組立体が輪郭に沿って動かされるに従ってかみそり刃組立体の第１首振りが、支持体のホルダに対する第２首振りよりも先に行われる。このため、第１首振りの首振り量（回動量）が増すつれて第１付勢手段は圧縮されて負荷を増していく。この場合、第１首振りだけであると、かみそり刃組立体を皮膚に押し返す力が増加する結果、切り傷や肌荒れの原因となるが、請求項３の発明では第２首振りにより、第１首振りによるその押し返し力が低減され、切り傷や肌荒れの虞が少なく、ソフトな剃り感が得られる。
【００３０】
請求項４の発明によれば、安全かみそりを肌に当てたとき、支持体の第２首振りにより衝撃が緩和され、刃先面（髭剃り接線面）がいち早く肌に密着し、特定の刃先が集中して肌に食い込むことが無いため、肌を傷つける虞を少なくできる。
【００３１】
請求項５の発明によれば、輪郭に沿って移動する際、かみそり刃組立体が押圧されて、かみそり刃組立体又は支持体の首振り限界に達したときでも、他方の残った側の付勢手段の付勢力も、首振り限界に達した側の付勢力と同じであるため、この同じ付勢力により肌に対してかみそり刃組立体を押圧させることができる。
【図面の簡単な説明】
【００３２】
【図１】（ａ）は本発明を具体化した一実施形態のＴ型安全かみそりの全体斜視図、（ｂ）は同じく実施形態の刃先先縁の移動範囲を示す説明図。
【図２】（ａ）は要部断面図、（ｂ）は、ホルダの正面図。
【図３】（ａ）は支持体の要部正断面図であり、（ｂ）は（ａ）におけるＡ−Ａ断面図である。
【図４】図３（ｂ）におけるＢ−Ｂ断面図。
【図５】刃台の斜視図。
【図６】ホルダと刃台との位置関係を示す要部断面図。
【図７】図６におけるＣ−Ｃ断面図。
【図８】安全かみそりの作用を説明するためのホルダの要部正断面図。
【図９】安全かみそりの作用を説明するための要部断面図。
【図１０】（ａ）は他の実施形態の安全かみそりの側面図、（ｂ）は、要部側面図。
【図１１】同じく他の実施形態のホルダの正面図。
【図１２】（ａ）〜（ｃ）は、従来の安全かみそりの刃体の刃先線縁の移動範囲の説明図。
【発明を実施するための形態】
【００３３】
（第１実施形態）
以下、本発明を具体化した第１実施形態を図１〜９を参照して説明する。
図１（ａ）に示すように、Ｔ型安全かみそり（以下、単に安全かみそりという）１はホルダ１００と、支持体２００とかみそり刃組立体としての替刃カートリッジ３００とにより略Ｔ字状に形成されている。前記ホルダ１００はそれぞれ合成樹脂製の柄部１１０とカバー１２０とにより構成されている。
【００３４】
前記ホルダ１００の上部には、支持体２００が、回動自在に軸支されている。すなわち、図２（ａ）、（ｂ）に示すように柄部１１０の上部腹面には溝状の軸受１１１が柄部１１０の長手方向に直交する方向に形成されている。なお、図２（ａ）において、右側を腹側といい、左側を背側という。
【００３５】
支持体２００は、背側及び先端部を開口するケース本体２１０と、背側の開口を覆うケースカバー２２０を備えている。そして、ケース本体２１０の腹側の面（下面）の左右両側には突片２１２、２１４（図２（ｂ）参照）が突設され、両突片２１２，２１４に前記軸受１１１に回動自在に嵌合したピン１２４の両端が止着されることにより、支持体２００が前記ホルダ１００に取付けされている。前記軸受１１１（ピン１２４）の軸心が、第２軸線Ｏに相当し、前記軸受１１１が回動支点に相当する。
【００３６】
そして、ケース本体２１０は、前記軸受１１１に支持されたピン１２４の周りで回動し、図２（ａ）に示すように、ケース本体２１０の先端側の底壁面がホルダ１００の先端係止面１１０ａに当接されることにより、図２（ａ）における時計方向の回動が制限される。
【００３７】
又、前記ホルダ１００の上部背側の面には、カバー１２０に覆われた凹部１１２が形成されている。凹部１１２の底面にはバネ支持突起１１３が形成され、第２付勢手段としてのバネ１１４が巻装されている。バネ支持突起１１３には、有蓋円筒状の当接部材１１５が被せられ、前記バネ１１４により付勢されて、カバー１２０の透孔１２２を介して外部に突出されている。前記バネ１１４は、圧縮コイルバネにより構成されている。当接部材１１５は、その基端に透孔１２２の内側周縁に係止される係止フランジ１１６が形成され、透孔１２２から抜き出し不能になっている。そして、当接部材１１５は、前記バネ１１４により、その先端がケース本体２１０の底壁の基端に当接し、ケース本体２１０を図２（ａ）に示す底壁がホルダ１００の先端係止面１１０ａに当接係止させている。
【００３８】
又、支持体２００が、ホルダ１００に対して図２（ａ）において、反時計方向に回動した際、底壁の基端がホルダ１００の背面に当接することによりその反時計方向の回動が規制される。
【００３９】
（支持体２００）
次に支持体２００の内部構成について説明する。
図３（ａ）に示すように、前記ケース本体２１０には、収容凹部からなる収容室８が形成されている。同収容室８内にはヘッド部１０が収容されている。前記ケース本体２１０の収容室８の内面奥部には、一対の支持ピン９が左右に離間して配置されている。尚、図３（ａ）において、紙面左右をそれぞれ左、右といい、紙面上下をそれぞれ上、下という。そして、前記各支持ピン９に対してヘッド部１０が着脱可能に嵌合されている。
【００４０】
図３（ａ）、（ｂ）及び図４に示すように、ヘッド部１０はヘッド本体２１と一対の支持アーム２２ａ、２２ｂとプッシャー２３とリリースカム２４とリリースボタン２５とを備えている。
【００４１】
図３（ａ）、（ｂ）に示すように、ヘッド本体２１の一側には収容部３１が凹設されている。収容部３１の先端側側面には一対の支持ピン３２が互いに離間して突設されている。そして、前記各支持ピン３２に対して、把持部材としての一対の支持アーム２２ａ、２２ｂが図３（ａ）において時計方向及び反時計方向に回動自在にそれぞれ取り付けられており、各々の先端部が互いに接近離間可能とされている。前記支持アーム２２ａ、２２ｂは、例えば、合成樹脂等の弾性体からなる。そして、前記各支持アーム２２ａ、２２ｂの先端部は収容室８の先端に形成された開口部から上方へ突出されている。前記各支持アーム２２ａ、２２ｂの先端部には、互いに相対する内方に向かって係合突部３３ａ、３３ｂが延出形成されている。
【００４２】
又、前記各支持アーム２２ａ、２２ｂの基端部には、内方に向かって傾斜部３４ａ、３４ｂが延出されており、その外側面には傾斜面３５ａ、３５ｂが基端側に向かうほど互いの傾斜面３５ａ、３５ｂに近づくように形成されている。左側の支持アーム２２ａの外側面には、その基端側から先端側に向かって、傾斜面３５ａと連接された第１当接面３６ａ及び第１当接面３６ａと連接された第２当接面３７ａが形成されている。一方、右側の支持アーム２２ｂの外側面には、その基端側から先端側に向かって、傾斜面３５ｂと連接された第１当接面３６ｂ及び第１当接面３６ｂと連接された第２当接面３７ｂが形成されている。
【００４３】
前記各傾斜部３４ａ、３４ｂの内側面間には圧縮コイルバネ３９の両端部が係止され、該圧縮コイルバネ３９により、同両支持アーム２２ａ、２２ｂの基端部をそれぞれ外方に付勢している。
【００４４】
圧縮コイルバネ３９が両支持アーム２２ａ、２２ｂの基端部をそれぞれ外方に付勢している状態では、図３（ａ）に示すように第１当接面３６ａ、３６ｂがヘッド本体２１の収容部３１の左右両側壁内側面に当接されているとともに、両支持アーム２２ａ、２２ｂの係合突部３３ａ、３３ｂは互いに接近している。又、図８に示すように、圧縮コイルバネ３９の付勢力に抗して、各支持アーム２２ａ、２２ｂの係合突部３３ａ、３３ｂが互いに離間されると、第２当接面３７ａ、３７ｂがヘッド本体２１の収容部３１の左右両側壁内側面に当接される。
【００４５】
前記ヘッド本体２１において両支持ピン３２よりも基端側（図３（ａ）において、下方側）の中央部の側面にはバネ受突起４１が突設されている。そして、プッシャー２３には、自身の長さ方向（図３（ａ）、（ｂ）において上下方向）にバネ収容孔４２が延設され、該バネ収容孔４２に前記バネ受突起４１が係入されている。プッシャー２３は、前記両支持アーム２２ａ、２２ｂ間に配置されており、前記バネ受突起４１にバネ収容孔４２がガイドされることにより、前記収容部３１の先端側と基端側を結ぶ方向に往復動可能とされている。
【００４６】
プッシャー２３のバネ収容孔４２において、先端側の内面（図３（ａ）において、上側の内面）と前記バネ受突起４１間に圧縮コイルバネ４４が介在配置されることにより、プッシャー２３は、ケース本体２１０の先端開口部から突出する方向（以下、突出方向という）へ付勢されている。圧縮コイルバネ４４は、第１付勢手段に相当する。第１付勢手段としての圧縮コイルバネ４４の付勢力は、第２付勢手段としてのバネ１１４の付勢力と同じになるように設定されている（請求項５）。
【００４７】
又、プッシャー２３の先端部は圧縮コイルバネ４４の付勢力によって、各支持アーム２２ａ、２２ｂの係合突部３３ａ、３３ｂの下端面に当接可能にされており、このことによって、プッシャー２３の突出方向の移動が規制されている。又、図８に示すように、圧縮コイルバネ３９の付勢力に抗して、各支持アーム２２ａ、２２ｂの係合突部３３ａ、３３ｂが互いに離間され、第２当接面３７ａ、３７ｂがヘッド本体２１の収容部３１の左右両側壁内側面に当接されると、プッシャー２３の突出方向への移動の規制が解除される。
【００４８】
図３（ｂ）に示すように、収容部３１の先端部中央には前記突出方向に沿って摺動溝５１が形成されており、同摺動溝５１に沿ってプッシャー２３が突出方向に摺動可能とされている。前記プッシャー２３の先端部にはカム面としての係合凹部５２が切込形成されており、同係合凹部５２は、本実施形態ではＶ字状をなす一対の斜状の面５３、５４にて構成されている。同係合凹部５２の形状はＶ字状に限定するものではなく、Ｕ字状であってもよい。
【００４９】
前記ヘッド本体２１の他側（反収容部側であり、図３（ｂ）において左側）には、中央部から基端部に亘って摺動溝５５が形成されている。摺動溝５５にはリリースカム２４の摺接部が係入されており、同リリースカム２４の摺接部は摺動溝５５に沿って先端側と基端側を結ぶ方向に往復摺動可能とされている。
【００５０】
図３（ｂ）に示すように、リリースカム２４の摺接部の先端には装着孔５６が形成されている。前記ケースカバー２２０の外側面には前記突出方向と同方向に延びた貫通孔４７を有するボタン装着部４８が凹設されている。リリースボタン２５の取付端部は貫通孔４７に遊挿され、前記装着孔５６に固定されている。リリースボタン２５の操作部２５ａはケースカバー２２０の外側面から突出されており、外部から前記突出方向と同方向に往復操作可能とされている。
【００５１】
リリースカム２４は前記摺接部と延出部５７とにより断面Ｌ字状をなしている。即ち、摺接部の基端部にはリリースカム２４の長手方向（図３（ｂ）において上下方向）とは直交する方向（同図において右側）に延出された延出部５７が形成されている。そして、さらに延出部５７から先端に向かって正断面Ｕ字状をなす押圧部５８が形成されている。
【００５２】
図３（ａ）に示すように、押圧部５８の左右両端部上部には、円弧状の押圧面５９ａ、５９ｂがそれぞれ形成されている。各押圧面５９ａ、５９ｂは前記各支持アーム２２ａ、２２ｂの傾斜面３５ａ、３５ｂにそれぞれ当接されている。
【００５３】
本実施形態では、支持アーム２２ａと支持アーム２２ｂとにより自在継手手段が構成されている。又、プッシャー２３と圧縮コイルバネ４４とにより復元手段が構成されている。
【００５４】
（替刃カートリッジ３００）
次に替刃カートリッジ３００について説明する。替刃カートリッジ３００は刃台６１を備えている。
【００５５】
図５に示すように、刃台６１の下面（すなわち、裏面）中央には一対の凹所７０が形成され、両凹所７０間には被挟着部としての隔壁６３が替刃の刃体の幅方向に沿って形成されている。隔壁６３の下端部には左右両側に張り出された膨出部６４が形成されている。
【００５６】
膨出部６４において隔壁６３を挟んだ左右両側の各上面には、前記各支持アーム２２ａ、２２ｂの係合突部３３ａ、３３ｂを係脱可能な係合面６５ａ、６５ｂ（図５においては左側の支持アーム２２ａの係合突部３３ａに対応する係合面６５ａのみを図示）がそれぞれ凹状の円弧面となるように形成されている。前記隔壁６３と膨出部６４とにより、被支持部としての係合部６２が構成されている。ここで、係合面６５ａ、６５ｂを有する係合部６２は、軸受手段に相当する。
【００５７】
そして、図６及び図７に示すように、各支持アーム２２ａ、２２ｂの第１当接面３６ａ、３６ｂがヘッド本体２１の収容部３１の内側面に当接されている状態において、各支持アーム２２ａ、２２ｂの係合突部３３ａ、３３ｂがそれぞれ係合部６２に係合されている。
【００５８】
即ち、各支持アーム２２ａ、２２ｂの係合突部３３ａ、３３ｂによって隔壁６３が挟持されるとともに、膨出部６４の係合面６５ａ、６５ｂと係合突部３３ａ、３３ｂとの係合により替刃カートリッジ３００の抜き出しが不能になる。
【００５９】
尚、係合突部３３ａ、３３ｂにおいて、係合面６５ａ、６５ｂとの当接面４０ａ、４０ｂは図７に示すように、剃刀刃６７（刃体）の幅方向に沿った凸状の円弧面に形成されており、図７のＲ方向への回動が回動自在とされている。このことによって、本実施形態では、替刃カートリッジ３００は、支持体２００の一対の支持アーム２２ａ、２２ｂによって支持されている。
【００６０】
一方、図５に示すように、前記膨出部６４の下端部には係合凹部５２のＶ字の角度よりも角度が大きい断面三角形状をなす係合突部６６が形成されており、同係合突部６６は前記プッシャー２３のＶ字状をなす係合凹部５２に係合されている（図６参照）。
【００６１】
ここで、前記圧縮コイルバネ４４の付勢力によりプッシャー２３が突出方向（図３（ａ）において上方）に付勢されているため、図６及び図７に示すように、プッシャー２３の先端部である係合凹部５２の先縁部は係合突部６６の当接面７１、７２に当接されている。
【００６２】
本実施形態では、係合凹部５２における斜状の面５３、５４同士のなす角度をα（図示しない）、係合突部６６における当接面７１、７２同士がなす角度をβ（図示しない）としたとき、α＜βとされている。この係合凹部５２のＶ字の角度と係合突部６６の三角形の角度との違いによって、替刃カートリッジ３００はカム作用により復元位置（傾動前の元位置）に復帰する。又、各支持アーム２２ａ、２２ｂの係合突部３３ａ、３３ｂの当接面４０ａ、４０ｂは係合面６５ａ、６５ｂにそれぞれ当接されている。
【００６３】
そして、前記各係合面６５ａ、６５ｂはそれぞれ円弧状に形成されているため、替刃カートリッジ３００は各支持アーム２２ａ、２２ｂの係合突部３３ａ、３３ｂに対して、図７において時計方向及び反時計方向に回動自在に支持されており、首振り可能とされている。
【００６４】
即ち、替刃カートリッジ３００は支持体２００に対して、刃台６１の係合部６２が一対の支持アーム２２ａ、２２ｂによって、係合突部３３ａ、３３ｂの当接面４０ａ、４０ｂに沿って替刃カートリッジ３００の刃体の刃幅方向（図７に示す矢印Ｒ方向）ヘ傾動自在に挟着支持されている。
【００６５】
本実施形態では、前記Ｒ方向は、係合部６２の係合面６５ａ、６５ｂの両者の曲率中心を通過する仮想軸線Ｍ（図７参照）を回動中心とした回転方向をいう。すなわち、Ｒ方向は、把持部材としての一対の支持アーム２２ａ、２２ｂの各係合突部を結ぶ軸を中心に回転する方向である。そして、本実施形態において、各係合突部３３ａ、３３ｂを結ぶ軸（仮想軸線Ｍ）は第１軸線に相当し、仮想軸線Ｍは、第２軸線Ｏと平行関係にある。そして、仮想軸線Ｍは、替刃カートリッジ３００の長手方向に延び、前記係合部６２を通る軸線である。
【００６６】
尚、係合面６５ａ、６５ｂが１つの曲率半径を有する場合は、前記仮想軸線Ｍは１個となる。又、係合面６５ａ、６５ｂが複数の曲率半径を有する円弧が連続して形成されている場合は、前記仮想軸線Ｍはそれに応じて複数個存在する。この場合、Ｒ方向とは、それぞれの仮想軸線Ｍの周りで回動したときの方向をいう。そして、これらの仮想軸線Ｍは、いずれも、第２軸線Ｏと平行関係にある。
【００６７】
又、図６に示すように、替刃カートリッジ３００の支持アーム２２ａ、２２ｂによる挟着支持において、刃台６１の係止面６９ａ、６９ｂと各支持アーム２２ａ、２２ｂの係合突部３３ａ、３３ｂとの間には、距離Ｌ１、Ｌ２を有する隙間が形成されるように隔壁６３の長さが設定されている。このことによって、替刃カートリッジ３００は支持体２００に対して、同図において左右方向に揺動可能とされている。即ち、替刃カートリッジ３００は支持体２００に対して、刃台６１の係合部６２が一対の支持アーム２２ａ、２２ｂによって、替刃カートリッジ３００の中央部を中心にした刃体の厚さ方向（図６に示す矢印Ｐ方向）ヘ傾動自在に挟着支持されている。本実施形態では、距離Ｌ１と距離Ｌ２とは同じ値に設定されている。
【００６８】
さらに、替刃カートリッジ３００は支持体２００に対して、刃台６１の係合部６２が一対の支持アーム２２ａ、２２ｂによって、替刃カートリッジ３００の中央部を中心にして刃体の刃幅方向（図６に示す矢印Ｑ方向）へ傾動自在に挟着支持されている。本実施形態では、前記Ｑ方向は、支持アーム２２ａ、２２ｂの両者間を通過するとともに、図６の中立位置に位置する係合部６２（隔壁６３、係合突部６６）の中心を通過する仮想軸線Ｌを回動中心とした回転方向をいう。
【００６９】
このように、替刃カートリッジ３００は支持体２００に対して、刃台６１の係合部６２が一対の支持アーム２２ａ、２２ｂによって、前記Ｐ方向、Ｑ方向、Ｒ方向、単独、又はこれらのいずれかの２方向、又は３方向が合成された方向へ傾動自在に挟着支持されている。
【００７０】
このように、Ｐ方向とは刃先端側から見たときに、被挟着部を中心に回転する方向であり、Ｑ方向とは、刃面と垂直で被挟着部を通る軸（Ｌ）を中心に回転する方向である。
図１（ａ）に示すように、替刃カートリッジ３００の上部（表面側）には、髭等の毛剃りを行うための刃体としての３枚の剃刀刃６７が設けられている。図６、図７、図９では、前記３枚の剃刀刃６７のうち、毛剃りする際に、最初に皮膚に接触する剃刀刃６７（以下、この刃体を第１刃体という）のみを図示している。そして、ホルダ１００を下方に、替刃カートリッジ３００を上にし、かつ替刃カートリッジ３００の剃刀刃６７（第１刃体）の刃先を下に向けたとき（図７においては、「刃先」と書いてある方向を下向きにしたとき）、仮想軸線Ｍ（第１軸線）が、剃刀刃６７（第１刃体）と重なる位置に位置している（図７参照）。
【００７１】
又、図２に示すように支持体２００のホルダ１００に対する回動自在に支持する軸受１１１（回動支点）が、替刃カートリッジ３００（かみそり刃組立体）を上にホルダ１００を下にしたとき、剃刀刃６７（第１刃体）よりも下方に位置するように設定されている。
【００７２】
（実施形態の作用）
さて、上記のように構成されて、替刃カートリッジ３００が支持体２００に装着された安全かみそり１を使用して髭等の毛を剃る場合の作用を説明する。
【００７３】
図２（ａ）の状態で、替刃カートリッジ３００の上面（すなわち、表面）全体を顔面等に押し当てると、圧縮コイルバネ４４の付勢力と前記バネ１１４の付勢力と同じにされているため、毛剃り中、輪郭に沿って移動する際、替刃カートリッジ３００が押圧されて、替刃カートリッジ３００又は支持体２００の首振り限界に達したときでも、他方の残った側の付勢手段の付勢力も、首振り限界に達した側の付勢力と同じであり、この同じ付勢力により肌に対して替刃カートリッジ３００を押圧する。
【００７４】
この場合、替刃カートリッジ３００側では、刃台６１の係合突部６６の当接面７１、７２が、圧縮コイルバネ４４の付勢力に抗してプッシャー２３の先端部を押圧し、プッシャー２３がケース本体２１０内へ移動する。すると、刃台６１の係合面６５ａ、６５ｂが各支持アーム２２ａ、２２ｂの係合突部３３ａ、３３ｂの当接面４０ａ、４０ｂからそれぞれ離間し、やがて、係合突部３３ａ、３３ｂは刃台６１の凹所７０内の係止面６９ａ、６９ｂにそれぞれ当接される。そして、その状態で髭等の毛剃りが行われる。
【００７５】
一方、支持体２００側では、前記バネ１１４の付勢力に抗して、図２（ａ）において、反時計方向に回転し、この状態で髭等の毛剃りが行われる。
又、替刃カートリッジ３００側では、替刃カートリッジ３００の上面（すなわち、表面）において、ケースカバー２２０側（図７において反刃先側）に負荷がかかるように替刃カートリッジ３００を顔面等に押し当てると、図６に示すように、刃台６１の係合突部６６の当接面７１、７２が、圧縮コイルバネ４４の付勢力に抗してプッシャー２３の先端部を押圧し、プッシャー２３が支持体２００側に移動する。このとき、刃台６１の係合面６５ａ、６５ｂはそれぞれ円弧状に形成されているため、替刃カートリッジ３００は各支持アーム２２ａ、２２ｂの係合突部３３ａ、３３ｂに対して、図７において時計方向（矢印Ｒａ側）に回転する。
【００７６】
すると、係合突部３３ａ、３３ｂの先端部は刃台６１の係止面６９ａ、６９ｂにそれぞれ当接される。即ち、替刃カートリッジ３００は支持体２００に対して、一対の支持アーム２２ａ、２２ｂによって、ケースカバー２２０側（図９において反刃先側）が下がるように傾斜された状態で支持され、その状態で髭等の毛剃りが行われる。
【００７７】
一方、このとき支持体２００側では、負荷が替刃カートリッジ３００に加わると、支持体２００は、前記バネ１１４の付勢力に抗して、図２（ａ）において、反時計方向に回転し、この状態で髭等の毛剃りが行われる。
【００７８】
又、替刃カートリッジ３００の上面（すなわち、表面）において、ケース本体２１０側（図７において刃先側）に負荷がかかるように替刃カートリッジ３００を顔面等に押し当てると、図示はしないが、刃台６１の係合突部６６の当接面７１、７２が、圧縮コイルバネ４４の付勢力に抗してプッシャー２３の先端部を押圧し、プッシャー２３が支持体２００側に移動する。このとき、刃台６１の係合面６５ａ、６５ｂはそれぞれ円弧状に形成されているため、替刃カートリッジ３００は各支持アーム２２ａ、２２ｂの係合突部３３ａ、３３ｂに対して、図７において反時計方向（矢印Ｒｂ側）に回転する。そして、替刃カートリッジ３００は支持体２００に対して、一対の支持アーム２２ａ、２２ｂによって、ケース本体２１０側（刃先側）が下がるように傾斜された状態で支持され、その状態で髭等が剃られる。
【００７９】
一方、このとき支持体２００側では、負荷が替刃カートリッジ３００に加わると、支持体２００は、前記バネ１１４の付勢力に抗して、図２（ａ）において、反時計方向に回転し、この状態で髭等の毛剃りが行われる。
【００８０】
なお、替刃カートリッジ３００の支持体２００に対する着脱は本発明と関係せず、又、特許文献１０に詳細な説明がされているため説明を省略する。
さて、本実施形態によれば、以下のような効果を得ることができる。
【００８１】
（１）  本実施形態の安全かみそり１は、剃刀刃６７（刃体）を有する替刃カートリッジ３００（かみそり刃組立体）と、替刃カートリッジ３００の裏面に設けられた係合部６２（軸受手段）を支持し、替刃カートリッジ３００の長手方向に延びて係合部６２を通る仮想軸線Ｍ（第１軸線）の周りで替刃カートリッジ３００を回動自在に支持する支持体２００を有する。そして、支持体２００は、前記剃刀刃６７（刃体）の刃先を下方へ回動するように係合部６２（軸受手段）をプッシャー２３を介して付勢する圧縮コイルバネ４４（第１付勢手段）を備える。
【００８２】
又、安全かみそり１は、支持体２００を仮想軸線Ｍ（第１軸線）と平行な第２軸線Ｏの周りで回動自在に支持するホルダ１００と、支持体２００を第２軸線Ｏの周りのみで回動付勢する前記バネ１１４（第２付勢手段）を備える。
【００８３】
この結果、毛剃り時に、替刃カートリッジ３００が支持体２００に対して首振り（第１首振り）され、さらに、支持体２００がホルダ１００に対して回動自在（第２首振り）するため、替刃カートリッジ３００の首振り量を増加させることができる。又、アゴやワキのような輪郭の大きな部位、或いは足、手の毛剃りを行うように長い輪郭域での替刃カートリッジ３００の追従を容易に行うことができるとともに、コントロールがしやすく、毛剃りの効率化を図ることができる。
【００８４】
図１（ｂ）は、支持体２００（替刃カートリッジ３００）が第２軸線Ｏを中心として回転（首振り）され、さらに替刃カートリッジ３００が、仮想軸線Ｍを中心に回転（首振り）するときの剃刀刃６７（第１刃体）の刃先が位置する移動領域（移動範囲）をハッチングで示す。同図では、第２軸線Ｏと仮想軸線Ｍ間を２ｃｍとして想定し、その２．５倍で描いたものである。同図に示すように刃先が位置する移動領域は、従来技術１、２、３に比較して、その領域を拡大できることが分かる。
【００８５】
この領域が増加することは下記の点において有利である。すなわち、この拡大された領域内において、安全かみそり１を持った手をコントロールすることになるため、例えば、足、手の毛剃りを行うように長い輪郭域で毛剃りを行う場合、安全かみそりを把持した手を大きく動かす必要がなくなり、このコントロールがしやすくなる利点がある。
【００８６】
（２）  本実施形態の替刃カートリッジ３００（かみそり刃組立体）は３つの剃刀刃６７（刃体）を備え、ホルダ１００を下方に、替刃カートリッジ３００を上にし、かつ替刃カートリッジ３００の剃刀刃６７の刃先を下に向けたとき、仮想軸線Ｍ（第１軸線）が替刃カートリッジ３００が有する剃刀刃６７（第１刃体）と重なる位置に位置する。そして、支持体２００のホルダ１００に対する回動自在に支持する軸受１１１（回動支点）が、替刃カートリッジ３００を上にホルダ１００を下にしたとき、剃刀刃６７よりも下方に位置する。
【００８７】
この結果、仮想軸線Ｍが、替刃カートリッジ３００が有する剃刀刃６７（第１刃体）と重なる位置し、かつ、軸受１１１が、替刃カートリッジ３００を上にホルダ１００を下にしたとき、剃刀刃６７（第１刃体）よりも下方に位置するため、刃先が安定してスムースな毛剃りが可能となる。すなわち、支持体２００の仮想軸線Ｍ（第１軸線）が通る係合部６２（軸受手段）は、支持体２００を介して替刃カートリッジ３００を保持する部分でもある。
【００８８】
仮に、係合部６２（軸受手段）が剃刀刃６７（第１刃体）の後方（刃先の幅方向の刃先に対向する方向）に位置する場合、剃刀刃６７（第１刃体）の刃先は毛の切断抵抗と刃先の後方からの押圧により刃が不安定な状態（積雪における後輪駆動車が駆動するのと同様にビビリなどが発生しやすい）となる。又、第２軸線Ｏの軸受１１１（回動支点）が刃先より後方に位置する場合も同様の問題がある。一方、首振りの軸受１１１が、刃先の前方（下方）になる場合は前述の逆であり、軸受１１１が、前記かみそり刃組立体を上にホルダを下にしたとき、剃刀刃６７（第１刃体）よりも下方に位置するため、刃先が安定してスムースな毛剃りが可能となり、軸受１１１が刃先下方に位置する方が刃先が安定してスムースな毛剃りが可能となる。
【００８９】
（３）  本実施形態では、第２付勢手段としてのバネ１１４と、第１付勢手段としての圧縮コイルバネ４４とを同じ付勢力としている。この結果、毛剃り中、輪郭に沿って移動する際、替刃カートリッジ３００が押圧されて、替刃カートリッジ３００又は支持体２００の首振り限界に達したときでも、他方の残った側の付勢手段の付勢力も、首振り限界に達した側の付勢力と同じであるため、この同じ付勢力により肌に対して替刃カートリッジ３００を押圧させることができる。
【００９０】
（第２実施形態）
次に、第２実施形態を説明する。
なお、第２実施形態の安全かみそりは、第１実施形態の安全かみそり１とは、基本的な構成は同じであるため、第１実施形態と同一構成に対しては同一符号を付して、異なるところを説明し、図は第１実施形態の図を参照するものとする。
【００９１】
第２実施形態では、第２付勢手段としてのバネ１１４が、第１付勢手段としての圧縮コイルバネ４４よりも弱くなるように設定されている。
従って、第２実施形態では、安全かみそり１により、毛剃りを行う場合、替刃カートリッジ３００に負荷が掛かると、最初に支持体２００が、ホルダ１００に対して図２（ａ）において、反時計方向に回動（首振り）が行われる。そして、替刃カートリッジ３００負荷が増大して、支持体２００の底壁がホルダ１００の背面に当接されて反時計方向の回動が規制された後、替刃カートリッジ３００の首振りが、圧縮コイルバネ４４の付勢力に抗して首振りが行われる。
【００９２】
このようにして、替刃カートリッジ３００の首振り量が増大する。
第２実施形態では、下記の特徴がある。
（４）  本実施形態では、第２付勢手段としてのバネ１１４が、第１付勢手段としての圧縮コイルバネ４４よりも弱くなるように設定されている。この結果、安全かみそり１を肌に当てたとき、支持体２００の首振り（第２首振り）により衝撃が緩和され、刃先面（髭剃り接線面）がいち早く肌に密着し、特定の刃先が集中して肌に食い込むことが無いため、肌を傷つける虞を少なくできる。
【００９３】
なお、前記実施形態は以下のように変更してもよい。
・  前記各実施形態では、押圧部材としてのプッシャー２３を一対の支持アーム２２ａ、２２ｂ間に配置し、同プッシャー２３を付勢手段としての圧縮コイルバネ４４の付勢力によって、替刃カートリッジ３００の長手方向中央部に形成された被支持部としての係合部６２に当接させたが、次のようにしてもよい。即ち、被支持部としての係合部６２を一対、替刃カートリッジ３００の長手方向中央部から左右方向に離間された位置に設けるとともに、その係合部６２に対応する位置にプッシャー２３を配置し、同プッシャー２３を圧縮コイルバネ４４の付勢力によって、係合部６２に当接させてもよい。
【００９４】
・  刃台６１の係合突部６６とプッシャー２３の係合凹部５２との凹凸関係を逆にしてもよい。
・  前記各実施形態では、把持部材としての一対の支持アーム２２ａ、２２ｂによって、替刃カートリッジ３００を支持体２００に対して傾動自在に支持したが、２対以上の把持部材によって、替刃カートリッジ３００を支持体２００に対して傾動自在に支持してもよい。
【００９５】
・  前記各実施形態では、プッシャー２３の係合凹部５２のＶ字の角度よりも角度が大きい断面三角形状をなす係合突部６６としたが、断面半円状をなす係合突部６６としてもよい。
【００９６】
・  又、プッシャー２３の係合凹部５２における斜状の面５３、５４同士のなす角度と、係合突部６６における当接面７１、７２同士がなす角度とが等しくなるように、係合突部６６を構成してもよい。
【００９７】
・  前記各実施形態では、替刃カートリッジ３００に備える剃刀刃６７（刃体）の数を３枚としたが、１枚でもよく、或いは、２枚、４枚、５枚以上としてもよい。なお、このように複数（２枚、４枚以上の場合）の刃体を備えた替刃カートリッジ３００では、請求項２の「刃体」の意味は、毛剃りを行う際、最初に皮膚に接触する刃体を指す。
【００９８】
・  前記各実施形態では、ホルダ１００を下方に、替刃カートリッジ３００を上にし、かつ替刃カートリッジ３００の剃刀刃６７（第１刃体）の刃先を下に向けたとき（図７においては、「刃先」と書いてある方向を下向きにしたとき）、仮想軸線Ｍ（第１軸線）が、剃刀刃６７（第１刃体）と重なる位置に位置させた。この代わりに、ホルダ１００を下方に、替刃カートリッジ３００を上にし、かつ替刃カートリッジ３００の剃刀刃６７（第１刃体）の刃先を下に向けたとき（図７においては、「刃先」と書いてある方向を下向きにしたとき）、仮想軸線Ｍ（第１軸線）が、剃刀刃６７（第１刃体）の刃先よりも下方に位置させてもよい。この場合、前記実施形態と同様に、首振りの軸受１１１（回動支点）が、刃先の前方（下方）になる場合、軸受１１１（回動支点）が、替刃カートリッジ３００を上にホルダ１００を下にしたとき、剃刀刃６７（第１刃体）よりも下方に位置するため、刃先が安定してスムースな毛剃りが可能となり、前記軸受１１１（回動支点）が刃先下方に位置する方が刃先が安定してスムースな毛剃りが可能となる。
【００９９】
・  前記各実施形態では、当接部材１１５、バネ１１４をホルダ１００側に設けたが、支持体２００側に設けても良い。この場合、当接部材１１５は、ホルダ１００の背面側に先端が当接するように配置し、バネ１１４で常時付勢する構成とする。
【０１００】
・  前記各実施形態において、第１付勢手段及び第２付勢手段は圧縮コイルバネ４４に限定されるものではなく、板ばね、ひねりコイルバネ等により構成してもよい。
・  前記第１実施形態では、第２付勢手段としてのバネ１１４と、第１付勢手段としての圧縮コイルバネ４４とを同じ付勢力としたが、圧縮コイルバネ４４（第１付勢手段）の付勢力をバネ１１４（第２付勢手段）の付勢力よりも弱くしてもよい。
【０１０１】
この場合、剃刀刃６７（第１刃体）の刃先に近い支持体２００の圧縮コイルバネ４４が、バネ１１４よりも、付勢力が弱いため、支持体２００に対する替刃カートリッジ３００の第１首振りの方が、支持体２００のホルダ１００に対する第２首振りよりもしやすい。このため、毛剃り時に、替刃カートリッジ３００が輪郭に沿って動かされるに従って替刃カートリッジ３００の第１首振りが、支持体２００のホルダ１００に対する第２首振りよりも先に行われる。このため、第１首振りの首振り量（回動量）が増すつれて圧縮コイルバネ４４は圧縮されて負荷を増していく。この場合、第１首振りだけであると、替刃カートリッジ３００を皮膚に押し返す力が増加する結果、切り傷や肌荒れの原因となるが、本実施形態では第２首振りにより、第１首振りによるその押し返し力が低減され、切り傷や肌荒れの虞が少なく、ソフトな剃り感が得られる。
【０１０２】
・  図１０、図１１は第１実施形態の安全かみそり１の構成中、下記のように構成を変更してもよい。この変形例では、第１実施形態の構成中、バネ支持突起１１３、当接部材１１５、バネ１１４が省略され、その代わりに、ホルダ１００の先端部に板バネ２５０を一体、或いは別部材を固定したものである。板バネ２５０の先端は、支持体２００の底壁に係止されている。ホルダ１００の先端は、二股状をなして一対のアーム部１４０が形成され、両アーム部１４０の外側面に軸部１４２がそれぞれ突出されている。そして、支持体２００は、その軸部１４２において、回動自在に支持されている。前記軸部１４２間は第２軸線Ｏが通過する。他の構成は第１実施形態と同一である。
【０１０３】
・  前記各実施形態では、軸受手段をかみそり刃組立体（替刃カートリッジ３００）の裏面に設けたが、裏面に限定されるものではなく、替刃カートリッジ３００の長手方向の両端面に、例えば凹部或いは軸孔を設け、該凹部又は軸孔に係合突部３３ａ、３３ｂを回動自在に支持するようにしてもよい。
【符号の説明】
【０１０４】
Ｍ…仮想軸線（第１軸線）、Ｏ…第２軸線、
１…安全かみそり、４４…圧縮コイルバネ（第１付勢手段）、
６２…係合部（軸受手段）、１００…ホルダ、
１１４…バネ（第２付勢手段）、２００…支持体、
３００…替刃カートリッジ（かみそり刃組立体）。
【図１】
0005433320.tif 000002
【図２】
0005433320.tif 000003
【図３】
0005433320.tif 000004
【図４】
0005433320.tif 000005
【図５】
0005433320.tif 000006
【図６】
0005433320.tif 000007
【図７】
0005433320.tif 000008
【図８】
0005433320.tif 000009
【図９】
0005433320.tif 000010
【図１０】
0005433320.tif 000011
【図１２】
0005433320.tif 000012
【図１１】
0005433320.tif 000013